(57)【要約】【課題】  良好な撓り性を生み出し、有効な支持を受けることができるゴルフアイアンクラブクラブヘッドを提供する。【解決手段】  シェルボディ１０は、クラブヘッド形状を呈し、正面に凹溝１１が設けられ、凹溝１１の周りの面にリング形肩部１２が形成されている。軟金属層２０は、凹溝１１の中に設けられている。薄い打球面層４０は、シェルボディ１０の正面に設けられ、正面にいくつかの打球溝４１が設けられ、打球面４２が形成されている。はんだ付け層３０は、薄い打球面層４０の背面に設けられ、薄い打球面層４０はシェルボディ１０のリング形肩部１２に於いて軟金属層３０上にはんだ付けされている。従って、アイアンクラブクラブヘッドは、打球面４２が衝撃力を受ける際、薄い打球面層４０が後ろへ軟金属層２０を圧迫して撓り作用を生み出し、打球面４２に優れた撓り性をもたらす。【選択図】    図２
0003105689.tif 000002
【実用新案登録請求の範囲】
【請求項１】
一つのシェルボディは、ゴルフアイアンクラブクラブヘッド形状を呈し、正面には一つの凹溝が設けられ、シェルボディは凹溝の周りの面に於いて一つのリング形肩部が形成され、
一つの軟金属層は、凹溝の中に設けられ、
一つの薄い打球面層は、シェルボディの正面に設けられ、肩部上に触れ、薄い打球面層の正面にはいくつかの打球溝が設けられ、一つの打球面が形成され、
一つのはんだ付け層は、薄い打球面層の背面に設けられ、薄い打球面層はシェルボディのリング形肩部に於いて軟金属層上にはんだ付けされていることを特徴とするゴルフアイアンクラブクラブヘッド。
【請求項２】
軟金属層は、一つの金属板片であり、凹溝の中に設けられて形成されていることを特徴とする請求項１記載のゴルフアイアンクラブクラブヘッド。
【請求項３】
軟金属層は、銅材料により構成されていることを特徴とする請求項１記載のゴルフアイアンクラブクラブヘッド。
【請求項４】
軟金属層の硬度は、ＨＲＣ９以下であることを特徴とする請求項１記載のゴルフアイアンクラブクラブヘッド。
【請求項５】
薄い打球面層は、一つの耐磨耗金属板片により形成されていることを特徴とする請求項１記載のゴルフアイアンクラブクラブヘッド。
【請求項６】
薄い打球面層の硬度は、ＨＲＣ３５以上であることを特徴とする請求項１記載のゴルフアイアンクラブクラブヘッド。
【請求項７】
薄い打球面層は、振動消去鋼金属材料により構成されていることを特徴とする請求項１記載のゴルフアイアンクラブクラブヘッド。
【請求項８】
はんだ付け層は、ニッケル基硬はんだ付け材料により構成されていることを特徴とする請求項１記載のゴルフアイアンクラブクラブヘッド。
【請求項９】
はんだ付け層の厚さは、０．０２ｍｍ〜０．０６ｍｍ間であることを特徴とする請求項１記載のゴルフアイアンクラブクラブヘッド。
【請求項１０】
はんだ付け層は、非晶質金属材料薄板片を溶かすことで、はんだ付け形成されていることを特徴とする請求項１記載のゴルフアイアンクラブクラブヘッド。
【請求項１１】
軟金属層と接続部底面との間には、一つのはんだ付け層を有し、はんだ付け層は軟金属層を凹溝中に於いてはんだ付け結合することを特徴とする請求項１記載のゴルフアイアンクラブクラブヘッド。
【請求項１２】
はんだ付け層の厚さは、０．０２ｍｍ〜０．０６ｍｍの間であることを特徴とする請求項１１記載のゴルフアイアンクラブクラブヘッド。
【請求項１３】
はんだ付け層は、ニッケル基硬はんだ付け材料により構成されていることを特徴とする請求項１１記載のゴルフアイアンクラブクラブヘッド。
【請求項１４】
はんだ付け層は、非晶質金属材料薄板片を溶かすことで、はんだ付け形成されていることを特徴とする請求項１１記載のゴルフアイアンクラブクラブヘッド。
【請求項１５】
軟金属層の厚さは、０．５ｍｍ〜３ｍｍ間であることを特徴とする請求項１１記載のゴルフアイアンクラブクラブヘッド。
【請求項１６】
打球面層の厚さは、１．５ｍｍ以下であることを特徴とする請求項１１記載のゴルフアイアンクラブクラブヘッド。
【請求項１７】
薄い打球面層とリング形肩部の接続部の外周面はんだ付けには、一つのリング形はんだ付け層を有することを特徴とする請求項１記載のゴルフアイアンクラブクラブヘッド。
【考案の詳細な説明】
【技術分野】
【０００１】
本考案は、ゴルフクラブヘッドと関連があり、更に詳しく言えば、一種の比較的優れた打撃効果を有するゴルフアイアンクラブヘッドを指す。
【背景技術】
【０００２】
従来のゴルフアイアンクラブクラブヘッドは、クラブヘッド正面部位に一つの凹溝が設けられ、凹溝中には一つの金属板が設けられ、金属板上には打球溝が設置され、一つの打球面板が形成されている。このような構造のもと、打球面板の背後には撓ることのできる空間が無く、打球時、打球撓り性は比較的劣り、ボールと接触する時間は短く、生み出す摩擦力は小さく、とりわけバンカー中で打球する際、より効果的なスピンショットテクニックを生み出すことはできず、このような欠点がより明らかとなっている。
【０００３】
もう一つの一種の従来のアイアンクラブクラブヘッドは、クラブヘッド正面の凹溝中に強化繊維樹脂が充填されていて、さらに一つの金属板片が凹溝中に埋め込まれている。金属板片上には打球溝が設置されていて、金属板片が打球面板を形成している。このような構造のもと、打球面板は、高速の衝撃を受けると、強化樹脂を圧縮し、一つの撓り空間を持ち、撓り性を備えることになり、ボールとの接触時間を増加させることができ、上述のクラブヘッド構造の欠点を改善することができる。ただし、打撃面積は埋め込まれた金属板片正面上に限定され、クラブヘッド正面の有効打撃面積は比較的小さい。且つ金属板片に於いて埋め込まれた凹溝の中では、クラブヘッド正面に於いて打撃金属面上の周囲に一つの円い強化繊維樹脂の痕跡が明らかに見られ、全体の外観に不一致が見られ、これがこのような従来のクラブヘッドの欠点である。
【考案の開示】
【考案が解決しようとする課題】
【０００４】
本考案の主要目的は、一種のゴルフアイアンクラブクラブヘッドを提供することにあり、打球面は比較的良好な撓り性を生み出すことができ、また、有効な支持を受けることができるものである。
【課題を解決するための手段】
【０００５】
上述の目的を達成するため、本考案のゴルフアイアンクラブクラブヘッドは、以下のものを含む。一つのシェルボディは、ゴルフアイアンクラブクラブヘッド形状を呈していて、正面の凹みに一つの凹溝があり、シェルボディは凹溝の周りの面に於いて一つのリング形の肩部が形成されている。一つの軟金属層は、凹溝中に設けられている。一つの薄い打球面層は、シェルボディの正面に設けられ、肩部上に支えられていて、薄い打球面層の正面に一つの打球面板が形成されている。一つのはんだ付け層は、薄い打球面層の背面に設けられ、薄い打球面層をシェルボディ肩部に於いて軟金属層上にはんだ付けしている。
【考案を実施するための最良の形態】
【０００６】
本考案の構造及び特徴の所在を詳細に説明するため、ここに以下の二つの比較的優れた実施例を挙げ、図式を組合わせて下記の如く説明する。
図１は、本発明の一実施例によるゴルフアイアンクラブクラブヘッドを示す模式図である。
【０００７】
図１および図２を御覧下さい。本考案の比較的優れた一実施例が提供するゴルフアイアンクラブクラブヘッドは、以下のものを含む。
一つのシェルボディ１０は、ゴルフアイアンクラブクラブヘッド形状を呈していて、金属により製造されている。その正面には一つの凹溝１１が設けられていて、シェルボディ１０は凹溝１１の周りの面に於いて一つのリング形の肩部１２が形成されている。
【０００８】
一つの軟金属層２０は、凹溝１１中に設けられていて、軟金属層２０の硬度はＨＲＣ９以下であり、厚さは０．５ｍｍ〜３ｍｍの間である。本実施例に於いては、軟金属層２０は、一つの銅金属板片であり、凹溝１１中に埋め込まれて形成されている。
【０００９】
一つのはんだ付け層３０は、軟金属層２０と凹溝１１底面との間に設けられていて、軟金属層２０を凹溝１１中にはんだ付けしていて、はんだ付け層３０の厚さは０．０２ｍｍから０．０６ｍｍの間である。本実施例に於いては、はんだ付け層３０の厚さは０．０３８ｍｍであり、ニッケル基硬はんだ付け材料により一つの非晶質金属材料薄板片を溶かすことで、はんだ付け形成され、アメリカＡＷＳ協会番号ＢＮＩ−２の如く、アメリカＡＭＳ協会番号４７７７Ｆのニッケル基硬はんだ付け材料である。
【００１０】
一つの薄い打球面層４０は、シェルボディ１０の正面に設けられていて、リング形肩部１２上に支えられていて、薄い打球面層４０の硬度はＨＲＣ３５以上であり、厚さは１．５ｍｍ以下で、且つ薄い打球層４０の正面にはいくつかの打球溝４１が設けられていて、一つの打球面４２が形成されている。本実施例に於いては、薄い打球面層４０は一つの耐磨耗金属片となっていて、振動消去鋼金属材料により構成されている。
【００１１】
一つのはんだ付け層５０は、図２および図３を御覧下さい。薄い打球面層４０の背面に於いて、薄い打球面層４０をリング形肩部１２に於いて軟金属層２０上にはんだ付けしていて、はんだ付け層５０の厚さは０．０２ｍｍから０．０６ｍｍの間である。本実施例に於いては、はんだ付け層５０の厚さは０．０３８ｍｍであり、軟金属層２０と凹層１１との間のはんだ付け層３０の厚さは同じであり、同様にこれもニッケル基硬はんだ付け材料により一つの非晶質金属材料薄板片を溶かすことで、はんだ付け形成され、アメリカＡＷＳ協会番号ＢＮＩ−２の如く、アメリカＡＭＳ協会番号４７７７Ｆのニッケル基硬はんだ付け材料である。
【００１２】
薄い打球面層４０とリング形肩部１２が接続する部分の外周面に於いては、更に一つのリング形はんだ付け層６０をはんだ付けしても良く、図２と図４の示す如く、これにより薄い打球面層４０とシェルボディ１０との間の結合を更に強く固定する。本実施例に於いては、ＴＩＧはんだ付けを使用し、リング形はんだ付け層６０を形成している。
【００１３】
従って、本実施例のアイアンクラブクラブヘッドは、一つの高硬度耐磨耗性がある打球面の背面に一つの軟金属層が設置されていて、比較的強い構造強度を備えているほか、打球面が高速の衝撃力を受ける際、薄い打球面層が後ろへ軟金属層を圧迫して撓り作用を生み出し、打球面に比較的優れた撓り性をもたらし、比較的優れた打球効果を備えている。且つ、薄い打球面層全体がクラブヘッドシェルボディの正面前部を覆っているため、更に大きな有効打球面積を有しているほか、視覚上もまたクラブヘッド全体が造型された感じを備えている。
【００１４】
注意が必要なのは、本考案の軟金属層は、上述の実施例で述べた如く、一つのはんだ付け層を使用してシェルボディ接続部中に於いてはんだ付けするほか、機械加工製造方式を利用して直接軟金属層の接続部中に固定しても良く、同様に本考案の目的を達成する。よって、本考案の掲示する薄い打球面層と軟金属層が畳み合わされてクラブヘッド正面を形成している構造のものもまた、本考案の範疇に含まれる。
【図面の簡単な説明】
【００１５】
【図１】本発明の一実施例によるゴルフアイアンクラブクラブヘッドを示す模式図である。
【図２】図１を２−２線で切断した断面図である。
【図３】図２のＡ区の拡大図である。
【図４】図２のＢ区の拡大図である。
【符号の説明】
【００１６】
１０  シェルボディ、１１  凹溝、１２  リング形肩部、２０  軟金属層、３０  はんだ付け層、４０  薄い打球面層、４１  打球溝、４２  打球面、５０  はんだ付け層、６０  リング形はんだ付け層
【図１】
0003105689.tif 000003
【図２】
0003105689.tif 000004
【図３】
0003105689.tif 000005
【図４】
0003105689.tif 000006